Podtech/llm-jp-corpus-v4-ja_patent huggingface dataset:
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
デジタル映像装置であって、
デジタルバスを介し周辺装置と通信する手段と、
当該デジタル映像装置に係るデータエントリ手段から、前記周辺装置の制御に係り、前記デジタル映像装置により認識され、前記周辺装置の動作モードを制御するための制御情報とヘッダ情報とから構成されるユーザにより始動されたコマンドを受信する手段と、
前記ユーザにより始動されたコマンドに応答しない前記周辺装置の動作状態とは独立に、前記制御情報を前記周辺装置によって解釈可能な共通コマンドに割当てる手段と、
前記デジタルバスを介し前記周辺装置に前記割当てられた制御情報を伝送する手段と、
から構成されることを特徴とする装置。
【請求項２】
請求項１記載のデジタル映像装置であって、さらに、
前記制御情報の割当てを示すコードデータを追加し、前記伝送された変換された制御情報を有するコードデータを含める手段を有することを特徴とする装置。
【請求項３】
デジタル映像装置を制御する方法であって、
ヘッダ情報と制御情報とを有するユーザにより始動された制御信号を受信するステップと、
周辺装置の動作状態とは独立に、前記デジタル映像装置にデータバスを介し接続された前記周辺装置により解釈可能な共通コマンドに前記制御情報を割当てるステップと、
前記共通コマンドを前記データバスを介し前記周辺装置に伝送するステップと、
から構成されることを特徴とする方法。
【請求項４】
請求項３記載の方法であって、さらに、
前記制御情報の割当てを示すコードデータを追加し、前記共通コマンドを有するコードデータを前記データバスを介し伝送するステップを有することを特徴とする方法。
【請求項５】
デジタルバスを介し装置に接続される周辺装置を制御する方法であって、
前記デジタルバスを介し前記装置から制御信号を受信するステップと、
前記制御信号が共通コマンドを有することを示すコードデータの有無を判断するステップと、
前記コードデータが存在する場合、
前記共通コマンドを前記周辺装置に係るコマンドに割当てるステップと、
前記コマンドに応答して対応する動作を実行するステップと、
から構成されることを特徴とする方法。
【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】  複数のルート設定ノードを含む光通信システムであって、各ルート設定ノードが２以上の出力経路から選択した１つの経路を介して受取った光パケットを前送り方向へ方向付け、かつ、
光ネットワークが複数のルート設定ノードを相互接続するように構成されている光通信システムを動作する方法であって、
ａ）送信元のルート設定ノードから光ネットワーク上へ光パケットを出力し：
ｂ）送信元のルート設定ノードと送信先のルート設定ノードとの間にループ形伝送路を用意するように、光ネットワークおよびルート設定ノードを構成し：
ｃ）送信先のルート設定ノードにおいて光パケットを受取り：
ｄ）段階（ａ）で出力された光パケットによって占有されたループ形伝送路上で受信信号を時間スロット内で送信元のルート設定ノードへ送ることを含む方法。
【請求項２】  光通信システムにおいてノードを動作する方法であって、光通信システムは、それぞれが2以上の出力経路から選択した一方の出力経路を経由して受取った光パケットを前送り方向へ方向付けるように構成することができる複数のノードと、
複数のルート設定ノードと相互接続する光ネットワークとを含んでおり、該方法が：
ａ）光ネットワークおよびルート設定ノードを構成することによって形成されるループ形伝送路から光パケットを受取り；
ｂ）１時間スロット内で段階（ａ）で出力されたパケットによって占有されたループ形伝送路上で戻り信号を送信元のルート設定ノードへ伝送することを含む方法。
【請求項３】  戻り信号が送信元ノードからループ形伝送路上で受け取られる複数のパケットの１つを含む請求項１または２記載の方法。
【請求項４】  前記ループ形伝送路上で複数のパケットの前記１つを戻す前に送信先ノードにおいて複数のパケットの前記1つを修正することをさらに含む請求項３記載の方法。
【請求項５】  送信元ノードにおいて戻り信号の到着時間を監視し、前記到着時間から戻り信号の源を識別することを含む請求項１ないし４の何れか1項記載の方法。
【請求項６】  戻り信号が送信元ノードに到着すると予測される時間を判断し、戻り信号が予測される時間に到着しないとき、伝送停止イベントをトリガする請求項5記載の方法。
【請求項７】  前記伝送停止イベントに応答してパケットを再伝送することを含む請求項６記載の方法。
【請求項８】  ネットワークが多数のノードおよびリンクを含み、ノードおよびリンクが多数の方向付けされたトレールとして構成され、各方向付けされたトレールが多数のノードの一部のみをリンクし、それと組み合わせて方向付けされたトレールがネットワークの各ノードをつなぎ、ループ形信号経路が送信元ノードと送信先ノードの両方を含む閉じた方向付けされたトレールを含む請求項１ないし７の何れか1項記載の方法。
【請求項９】  複数のパケット中の第１のパケットを送信先ノードへ送った後に、送信元ノードがループ形通路上で別のノードからコンテンドしているパケットを受取るときには、送信元ノードが前記通路から該または各コンテンドしているパケットを取り除く請求項１ないし８の何れか1項記載の方法。
【請求項１０】  複数のパケットの第１のパケットを送信先ノードへ送った後に、送信元ノードがループ形通路上で、別のノードからコンテンドしているパケットを受取るときには、送信元ノードが別のパケットを送信先ノードへ送ることをサスペンドし、該または各コンテンドしているパケットを送る請求項１ないし８の何れか1項記載の方法。
【請求項１１】  光通信ネットワークにおける接続に適したノードであって：
ａ）ループ形信号経路から光パケットを受取るようにされた入力と；
ｂ）入力において受取られた光パケットを複数の出力の１つへスイッチするための構成可能な手段と；
ｃ）ループ形信号経路から最初に受取った前記パケットによってもともと占有されていた時間スロット中に出力の１つを経由してループ形信号経路へ信号を出力するための手段とを含むノード。
【請求項１２】  通信ネットワークの接続に適したノードであって：
（ａ）ループ形信号経路へ光パケットを出力して、別のノードへ送るようにされた出力と；
（ｂ）ループ形信号経路上の他のノードによって戻された信号を受取るようにされた入力と；
（ｃ）前記入力へ戻された信号をモニタするようにされたノード制御装置と；
（ｄ）入力において受取った光パケットを複数の出力の1つへスイッチする構成可能な手段と、を含むノード。
【請求項１３】  戻り信号が予測された時間スロット内で受取られないときは、ノード制御装置が伝送停止状態をトリガするようにされている請求項１２記載のノード。
【請求項１４】  請求項１１ないし１３の何れか1項記載のノードを含む光通信ネットワーク。
【請求項１５】  ネットワークが多数のノードおよびリンクを含み、ノードおよびリンクが多数の方向付けされたトレールとして構成され、各方向付けされたトレールが多数のノード一部のみをリンクし、それと組み合わせて方向付けされたトレールがネットワークの各ノードをつなぎ、ループ形信号経路が送信元ノードと送信先ノードの両方をまたぐ方向付けされたトレールを含む請求項１４記載の光通信ネットワーク。
【請求項１６】  送信元ードから送信先ノードへポーリング信号を送り：
ポーリング信号の送信後、送信元ノードと送信先ノードとの間の戻り移動時間に依存する時間で送信元ノードにおいて実行する処理をスケジュールし：
前記ポーリング信号によって占有されている時間スロット中に送信先ノードから送信元ノードへデータを送り：
続いて前記データを使用して前記処理を実行することを含む請求項１ないし１０のいずれか１項記載の方法
【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  （ｉ）破傷風毒素フラグメントＣもしくはその少なくとも６個のアミノ酸を有するフラグメントが、（ii）B型肝炎ウイルス（HBV）のプレ-S1領域もしくはその少なくとも６個のアミノ酸を有するフラグメントおよび／またはHBVのプレ-S2領域もしくはその少なくとも６個のアミノ酸を有するフラグメントに融合してなり、そのポリペプチドはHBVのプレ-S1および／またはプレ-S2領域を認識する抗体を誘導するポリペプチド。
【請求項２】  少なくとも100個のアミノ酸の破傷風毒素フラグメントCのフラグメントからなる請求の範囲第１項に記載のポリペプチド。
【請求項３】  完全長のフラグメントCからなる請求の範囲第１項に記載のポリペプチド。
【請求項４】  少なくとも20個のアミノ酸を有するプレ-S1領域のフラグメントおよび／または少なくとも20個のアミノ酸を有するプレ-S2領域のフラグメントからなる請求の範囲第１項〜第３項に記載のポリペプチド。
【請求項５】  請求の範囲第１項〜第４項のいずれかに記載のポリペプチドをコードするポリヌクレオチド。
【請求項６】  調節配列に操作性に連結した請求の範囲第５項に記載のポリヌクレオチドからなるベクター。
【請求項７】  上記調節配列はhtrAプロモーター配列からなる請求の範囲第６項に記載のベクター。
【請求項８】  請求の範囲第６項または第７項記載のベクターからなる宿主細胞。
【請求項９】  細菌である請求の範囲第８項記載の宿主細胞。
【請求項１０】  請求の範囲第１項〜第４項記載のポリペプチド、請求の範囲第５項記載のポリヌクレオチドまたは請求の範囲第６項もしくは第７項記載のベクターと医薬的に許容される担体または希釈剤からなるワクチン組成物。
【請求項１１】  ヒトまたは動物のHBV感染を処置または防止するための医薬組成物において、請求の範囲第１項〜第４項のいずれかに記載のポリペプチド、請求の範囲第５項記載のポリヌクレオチドまたは請求の範囲第６項もしくは第７項記載のベクターを有効成分として含む医薬組成物。
【請求項１２】  HBVのプレ-S1および／またはプレ-S2領域内のエピトープを認識する抗体を産生させる方法において、請求の範囲第１項〜第４項記載のポリペプチド、請求の範囲第５項記載のポリヌクレオチドまたは請求の範囲第６項もしくは第７項記載のベクターを、ヒトを除く哺乳動物に投与することからなる方法。
【請求項１３】  請求の範囲第１２項記載の方法によって産生された抗体。
【請求項１４】  ヒトまたは動物のHBV感染を処置するための医薬組成物において、請求の範囲第１３項記載の抗体を有効成分として含有する医薬組成物。
【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  ハウジングと、
ハウジング内に取り外し自在に設けられ、流体通路を構成する第１の細長い管状部材と、を有し、該第１の細長い管状部材が、
組織を突き刺すようになったテーパした閉鎖遠位端部分、及び
テーバした遠位端の近くに形成され、流体通路と流体連通した複数の穴を構成する組織支持面を含む横方向配置の組織受け入れ開口部を含み、
第１の細長い管状部材を中心に同軸に回転自在に且つ往復運動可能に配置された第２の細長い管状部材を含み、該第２の細長い管状部材が、開放遠位端に形成された刃及び刃の近位方向に形成された横の組織放出ポートを有する、外科生検装置。
【請求項２】  ハウジングによって取り外し自在に支持され、第１及び第２の細長い管状部材を中心に同軸に配置された第３の細長い管状部材を更に含み、第３の細長い管状部材は引っ込み位置から伸長位置まで移動でき、伸長位置では、遠位端部分は第１の細長い管状部材の組織受け入れ開口部の最遠位位置に隣接して横方向に配置される、請求項１に記載の外科生検装置。
【請求項３】  第３の細長い管状部材はX-線の通過を許す放射線透過性である、請求項２に記載の外科生検装置。
【請求項４】  第３の細長い管状部材は、第３の細長い管状部材の一部分に形成された放射線不透過性マーキングを含み、第３の細長い管状部材が展開位置にあるとき、放射線不透過性マーキングが第１の細長い管状部材き組織受け入れ開口部の最遠位位置に隣接して横方向にある、請求項３に記載の外科生検装置。
【請求項５】  横組織放出ポートに隣接して配置された組織剥離部材を更に含み、組織剥離部材は、組織受け入れ開口部と横組織放出ポートと整合したとき第１の細長い管状部材の組織受け入れ開口部に入るように構成かつ寸法決めされた可撓性延長部分を含む、請求項１に記載の外科生検装置。
【請求項６】  組織剥離部材は、該組織剥離部材と接触する身体組織との摩擦を減ずるように形成された摩擦減少コーティングを含む、請求項５に記載の外科生検装置。
【請求項７】  横配置の組織受け入れ開口部の組織支持面は弧状断面を有する、請求項１に記載の外科生検装置。
【請求項８】  ハウジングと、
ハウジング内に取り外し自在に設けられ、流体通路を構成する第１の細長い管状部材と、を有し、該第１の細長い管状部材が、
組織を突き刺すようになったテーパした閉鎖遠位端部分、及びテーバした遠位端の近くに形成された横方向配置の組織受け入れ開口部を含み、
第１の細長い管状部材を中心に同軸に回転自在に且つ往復運動可能に配置された第２の細長い管状部材を含み、該第２の細長い管状部材が、開放遠位端に形成された刃及び刃の近位方向に形成された横の組織放出ポートを有し、
第２の細長い管状部材の中に取り出し自在に挿入できる組織マーキング部材を含み、組織マーキング部材が
細長いシャフトと、
細長いシャフトの遠位端に配置されたクランプと、を含み、クランプが、組織マーカーを保持するように構成且つ寸法決めされた第１の向きからクランプによって保持された組織マーカーを変形させそれによって組織マーカーを患者の身体組織に取り付ける第２の向きまで作動できる、外科生検装置。
【請求項９】  ハウジングによって取り外し自在に支持され、第１及び第２の細長い管状部材を中心に同軸に配置された第３の細長い管状部材を更に含み、第３の細長い管状部材は引っ込み位置から伸長位置まで移動でき、伸長位置では、遠位端部分が第１の細長い管状部材き組織受け入れ開口部の最遠位位置に隣接して横方向に配置される、請求項８に記載の外科生検装置。
【請求項１０】  第３の細長い管状部材はX-線の通過を許す放射線透過性である、請求項９に記載の外科生検装置。
【請求項１１】  第３の細長い管状部材は、第３の細長い管状部材の一部分に形成された放射線不透過性マーキングを含み、第３の細長い管状部材が展開位置にあるとき、放射線不透過性マーキングが第１の細長い管状部材き組織受け入れ開口部の最遠位位置に隣接して横方向にある、請求項１０に記載の外科生検装置。
【請求項１２】  横組織放出ポートに隣接して配置された組織剥離部材を更に含み、組織剥離部材は、組織受け入れ開口部と横組織放出ポートと整合したとき第１の細長い管状部材の組織受け入れ開口部に入るように構成かつ寸法決めされた可撓性延長部分を含む、請求項８に記載の外科生検装置。
【請求項１３】  組織剥離部材は、該組織剥離部材と接触する身体組織との摩擦を減ずるように形成された摩擦減少コーティングを含む、請求項１２に記載の外科生検装置。
【請求項１４】  横配置の組織受け入れ開口部の組織支持面は弧状断面を有する、請求項８に記載の外科生検装置。
【手続補正書】
【提出日】平成17年8月5日(2005.8.5)
【手続補正１】
【補正対象書類名】明細書
【補正対象項目名】請求項２２
【補正方法】変更
【補正の内容】
【請求項２２】  近位領域と遠位領域との間で長手軸に沿って配され、両領域の間に可撓領域を含み、手術用具を前記遠位領域で支持するシャフトと、
前記シャフトに前記手術用具の近位で接続され、その近位端に加えられた近位向きの力及び遠位向きの力を前記シャフトへ伝えて、前記可撓領域で前記シャフトを曲げるとともに、前記手術用具を前記軸から偏位させるように構成されている操向用本体と、
前記の近位向きの力及び遠位向きの力を前記操向用本体の前記近位端に加えるために接続されたアクチュエーターとを
含んでなる手術器具を用意することと、
前記手術用具を身体組織に対して第１位置に置くために前記手術器具を方向付けることと、
前記手術用具を身体組織に対して異なる位置である第２位置に置くために、前記アクチュエーターを操作して、前記シャフトを曲げることと前記手術用具を前記軸から偏位させることとを選択的に行うこととを
備えている手術器具の使用方法。
【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  １以上の活性薬剤の局所適用の柔軟な一定形態の生体接着剤組成物であって、以下：
(ａ)  少なくとも１の可溶性ポリビニルピロリドンポリマー(ＰＶＰ)；
(ｂ)  少なくとも１の生体接着剤；
(ｃ)  治療的に有効量の１以上の活性薬剤；及び
(ｄ)  含んでもよい１以上の溶媒；
を含んでなる混合物から生成される組成物。
【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】患者におけるアルツハイマー病（ＡＤ）の診断方法であって、（１）該患者から適当な体液の試料を準備する工程；
（２）変化していないグリコシル化パターンを有するAChEに比べ、相対的により低いコンカナバリンA(Con A)に対する親和性及び相対的により高いコムギ胚芽凝集素（WGA）に対する親和性を有するような、変化したグリコシル化パターンを有するアセチルコリンエステラーゼ（AChE）の該試料中における存在を検出する工程；
（３）変化していないグリコシル化パターンを有するAChEに比べ、相対的により低いCon Aに対する親和性及び相対的により高いWGAに対する親和性を有するようなグリコシル化パターンを有する該AChEの存在とＡＤを、該患者において相関させる工程
を含む方法。
【請求項２】変化していないグリコシル化パターンを有するAChEに比べ、相対的により低いCon Aに対する親和性及び相対的により高いWGAに対する親和性を有するようなグリコシル化パターンを有する第一のAChEと、変化していないグリコシル化パターンを有する第二のAChEの相対比を測定する、請求項１に記載の方法。
【請求項３】該第一のAChEと該第二のAChEの相対比を測定するためにレクチン−結合分析を使用する請求項２に記載の方法。
【請求項４】レクチン−結合分析が、コンカナバリンA（Con A）及びコムギ胚芽凝集素（WGA）への結合の測定を含む、請求項３に記載の方法。
【請求項５】結合していないAChE活性を測定する、請求項４に記載の方法。
【請求項６】WGAに結合していないAChEに対するCon Aに結合していないAChEの比を計算する、請求項５に記載の方法。
【請求項７】該比が、ＡＤ患者において０．９５より大きい、請求項６に記載の方法。
【請求項８】総AChE活性も測定する、請求項１に記載の方法。
【請求項９】WGAに結合していないAChEに対するCon Aに結合していないAChEの比を、総AChE活性に対してプロットする、請求項８に記載の方法。
【請求項１０】変化していないグリコシル化パターンを有するAChEに比べ、相対的により低いコンカナバリンA(Con A)に対する親和性及び相対的により高いコムギ胚芽凝集素(WGA)に対する親和性を有する、該AChEの存在を検出するために、モノクローナル抗体を使用する、請求項１に記載の方法。
【請求項１１】該モノクローナル抗体が、MA3-042であって、変化していないグリコシル化パターンを有するAChEに比べ、相対的により低いCon Aに対する親和性及び相対的により高いWGAに対する親和性を有するような変化したグリコシル化パターンを有する該AChEを、該抗体に結合しないことによって検出する、請求項１０に記載の方法。
【請求項１２】変化していないグリコシル化パターンを有するAChEに比べ、相対的により低いCon Aに対する親和性及び相対的により高いWGAに対する親和性を有するような変化したグリコシル化パターンを有するAChEの異常なアイソフォームを検出する、請求項１に記載の方法。
【請求項１３】該異常なアイソフォームがAChEの両親媒性の単量体アイソフォーム、又はAChEの両親媒性の二量体アイソフォームである、請求項１２に記載の方法。
【請求項１４】該体液が、脳脊髄液（CSF）、血液又は血漿である、請求項１に記載の方法。
【請求項１５】該体液が血液であって、血漿を分析のために血液から調製する、請求項１４に記載の方法。
【請求項１６】該体液が血漿であって、変化したグリコシル化パターンを有するAChEの存在分析の前に、ブチリルコリンエステラーゼ（BChE）を除去又は不活性化する、請求項１４に記載の方法。
【請求項１７】AChEの両親媒性の単量体アイソフォームである、変化したグリコシル化パターンを有するアセチルコリンエステラーゼ（AChE）の単離及び精製された異常なアイソフォームであって、変化していないグリコシル化パターンを有するAChEよりも、コンカナバリンA（Con A）に相対的により低い親和性を有し、コムギ胚芽凝集素（WGA）に相対的により高い親和性を有する、アイソフォーム。
【請求項１８】AChEの両親媒性の二量体アイソフォームである、変化したグリコシル化パターンを有するアセチルコリンエステラーゼ（AChE）の単離及び精製された異常なアイソフォームであって、変化していないグリコシル化パターンを有するAChEよりも、コンカナバリンA（Con A）に相対的により低い親和性を有し、コムギ胚芽凝集素（WGA）に相対的により高い親和性を有する、アイソフォーム。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】    細胞の染色体内に安定に組み込まれたＡＡＶ  ｒｅｐ遺伝子およびＡＡＶ  ｃａｐ遺伝子を含んでなる細胞であって、そのＡＡＶ  ｒｅｐ遺伝子およびＡＡＶ  ｃａｐ遺伝子がそれぞれｒｅｐ遺伝子およびｃａｐ遺伝子の発現を指令するＡＡＶ  Ｐ５プロモーターを含む調節配列に操作的に連結されており、そしてその細胞への、ヘルパーウイルス、ヘルパー遺伝子、およびヘルパー遺伝子産物からなる群より選択されるヘルパーの組込みによりその細胞がｒｅｐ遺伝子およびｃａｐ遺伝子の産物を発現するものである、細胞。
【請求項２】  ｒｅｐおよびｃａｐ遺伝子が個別の調節配列に操作的に連結される、請求項１に記載の細胞。
【請求項３】  ｒｅｐおよびｃａｐ遺伝子が同一の調節配列に操作的に連結される、請求項１に記載の細胞。
【請求項４】  ｒｅｐおよびｃａｐ遺伝子がＡＡＶの異なる血清型に由来する、請求項１に記載の細胞。
【請求項５】  ＡＡＶ  ｐ５プロモーターがｒｅｐおよびｃａｐ遺伝子とは異なるＡＡＶ血清型である、請求項１に記載の細胞。
【請求項６】  ｒｅｐおよびｃａｐ遺伝子が細胞の染色体内に安定に組み込まれた少なくとも２つのコピー内に存在する、請求項１に記載の細胞。
【請求項７】  ＡＴＣＣ受託番号ＣＲＬ  １２４０１を有するＢ−５０細胞である、請求項１に記載の細胞。
【請求項８】  ヘルパーが、アデノウイルス、ヘルペスウイルス、組換えアデノウルス、組換えヘルペスウイルス、アデノウイルス遺伝子、ヘルペスウイルス遺伝子、アデノウイルス遺伝子産物、およびヘルペスウイルス遺伝子産物からなる群より選択されるメンバーである、請求項１に記載の細胞。
【請求項９】  ヘルパー含有性宿主細胞を産生するための方法であって、
（ａ）宿主細胞の染色体内に安定に組み込まれるＡＡＶ  ｒｅｐ遺伝子およびＡＡＶ  ｃａｐ遺伝子を含む宿主細胞に対する組み込みを行う段階であって、ここでそのＡＡＶ  ｒｅｐおよびｃａｐ遺伝子はｒｅｐおよびｃａｐ遺伝子の発現を指令する調節配列の制御下に各々置かれ、そしてここで、宿主細胞は宿主細胞への、ヘルパーウイルス、ヘルパー遺伝子、およびヘルパー遺伝子産物からなる群より選択されるヘルパーの組込みによりｒｅｐおよびｃａｐ遺伝子の遺伝子産物を発現するものである段階、
を含む方法。
【請求項１０】  組換えＡＡＶを産生するための方法であって、
（ａ）宿主細胞の染色体内に安定に組み込まれるＡＡＶ  ｒｅｐ遺伝子およびＡＡＶ  ｃａｐ遺伝子を含む宿主細胞を提供する段階であって、前記細胞が、ヘルパーウイルス、ヘルパー遺伝子、およびヘルパー遺伝子産物からなる群より選択されるヘルパーを含み、そして宿主細胞は宿主細胞へのヘルパーの組込みによりｒｅｐおよびｃａｐ遺伝子の遺伝子産物を発現するものである段階；
（ｂ）（ａ）のヘルパー含有性宿主細胞に組換えハイブリッドウイルスを組み込ませる段階であって、その組換えハイブリッドウイルスは：
（１）導入遺伝子の発現を制御する調節配列に操作的に連結された選択された導入遺伝子、
（２）ＡＡＶの５’および３’ＩＴＲを含むＡＡＶ配列（ここで、この５’ＩＴＲはその導入遺伝子および（１）の調節配列の片側をフランクし、そして３’ＩＴＲはもう一方の側をフランクする）、ならびに
（３）アデノウイルスビリオンの複製に必要とされるシスエレメントおよびアデノウイルスビリオンのカプシド化に必要とされるシスエレメントからなる群より選択されるアデノウイルスシスエレメント（前記シスエレメントは（２）の各ＡＡＶ配列をフランクする）、
を含み、このことにより組換えＡＡＶがその細胞により産生されるものである、段階；
を含む方法。
【請求項１１】  段階（ｂ）がヘルパーが宿主細胞に組み込まれてから約２４時間後に実施される、請求項１０に記載の方法。
【請求項１２】  （ｃ）ハイブリッドウイルス感染させたヘルパー含有性宿主細胞から、導入遺伝子を含む組換えＡＡＶを単離するさらなる段階：
を含む、請求項１０に記載の方法。
【請求項１３】  段階（ｃ）がヘルパー含有性宿主細胞をハイブリッドウイルスで感染させてから３６時間後に実施する、請求項１２に記載の方法。
【請求項１４】  組換えＡＡＶが細胞当たり１×１０３ゲノムコピーを上回るレベルで産生される、請求項１０に記載の方法。
【請求項１５】  組換えＡＡＶが段階（ｃ）では細胞当たり１×１０４ゲノムコピーを上回るレベルで産生される、請求項１２に記載の方法。
【請求項１６】  産生される組換えＡＡＶが本質的には均一であり、かつ複製コンピテントＡＡＶを含まない、請求項１０に記載の方法。
【請求項１７】  宿主細胞がＡＴＣＣ受託番号ＣＲＬ１２４０１を有するＢ−５０細胞である、請求項１０に記載の方法。
【請求項１８】  ヘルパーが、アデノウイルス、ヘルペスウイルス、組換えアデノウルス、組換えヘルペスウイルス、アデノウイルス遺伝子、ヘルペスウイルス遺伝子、アデノウイルス遺伝子産物、およびヘルペスウイルス遺伝子産物からなる群より選択されるメンバーである、請求項１０に記載の方法。
【請求項１９】  ヘルパーがアデノウイルスＥ１遺伝子を含む組換えアデノウイルスである、請求項１８に記載の方法。
【請求項２０】  組換えアデノウイルスが複製欠損を示す、請求項１９に記載の方法。
【請求項２１】  ヘルパーがアデノウイルスＥ１遺伝子を含む、請求項１８に記載の方法。
【請求項２２】  組換えヘルペスウイルスが複製欠損を示す、請求項１８に記載の方法。
【請求項２３】  ヘルパーが、単純疱疹１型、単純疱疹ウイルス２型、サイトメガロウイルス、およびワクシニアからなる群より選択される組換えウイルスを含む、請求項１８に記載の方法。
【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  造血前駆体細胞のインビトロ培養のための方法であって、
ある量の造血前駆体細胞を、細胞がマトリクス全体で増殖することを許容するのに十分な孔サイズの相互に連結された孔を有する、多孔性の、固体マトリクスに導入する工程、および
接種されたストロマ細胞、ストロマ細胞馴化培地、ならびに造血細胞の維持、増殖、および／または分化を促進する外因的に添加された造血増殖因子が、血清以外にはない環境であって、多孔性の固体マトリクスが一元的な(unitary)微細構造である前記環境において、該細胞を培養する工程、
を有する、前記方法。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  映画撮影又は舞台のスポットライト（２）及びそれに取り外し可能に接続され少なくとも部分的に光透過材で形成された膨張可能サック（３）とからなり、前記膨張可能サック（３）は透明な入光開口部（１６）を有し、前記入光開口部（１６）によって該サック（３）は該スポットライト（２）の出光開口部（１５）に取り付けられることができる照明装置（１）において、
該膨張可能サック（３）の該入光開口部（１６）は透明ガラス板又は透明ホイルで形成され、その環状端部に沿って該サック（３）の対応する開口部の端部に気密状に接続されることを特徴とする照明装置。
【請求項２】  該膨張可能サック（３）は、その全面において気密となるように塞がれると共に、該サック（３）を膨張しまた使用後はすぼませるための弁（１８）を設けていることを特徴とする請求項１に記載の照明装置。
【請求項３】  該膨張可能サック（３）は、該入光開口部（１６）の領域において該スポットライト（２）の該出光開口部（１５）と接続するための固定手段（１９）を有し、前記固定手段（１９）は該スポットライト（２）上の固定手段（２０）と相補的に用いられることを特徴とする請求項１又は２に記載の照明装置。
【請求項４】  該膨張可能サック（３）はその入光側で開口されており、外部のブロワ、特に該スポットライト（２）に取り付けられたブロワにより、その対応する開口部から注入された空気によって膨張されることを特徴とする請求項１に記載の照明装置。
【請求項５】  該スポットライト（２）と該サック（３）を接続するための手段は、該スポットライト（２）と接続されるか一体に形成されるサック保持器（４）であり、それにより該スポットライト（２）と該サック（３）は取り外し可能に接続されることを特徴とする請求項１乃至４の何れか１項に記載の照明装置。
【請求項６】  該サック（３）を所定の形状に膨張するための手段は、該スポットライト（２）及び／又は該サック保持器（４）に接続され、又は少なくとも部分的にそれらと一体形成されるブロワ装置であることを特徴とする請求項４又は５に記載の照明装置。
【請求項７】  該サック（３）の形状は、膨張状態において略円筒ロッド形状、球形状、半球形状、円錐又は円錐台形状の何れかであることを特徴とする請求項１乃至６の何れか１項に記載の照明装置。
【請求項８】  該サック（３）は、布織物又は気密状のプラスティックフィルムないしは布織物で強化された気密状のプラスティックフィルムで形成されることを特徴とする請求項１乃至７の何れか１項に記載の照明装置。
【請求項９】  該スポットライト（２）と該サック（３）は、該サック（３）を膨張させるためのブロワに接続する空気・ガス供給チューブ（６）を有する該サック保持器（４）によって接続されることを特徴とする請求項４乃至８の何れか１項に記載の照明装置。
【請求項１０】  該サック保持器（４）は、該スポットライト（２）に取り外し可能に接続されることを特徴とする請求項９に記載の照明装置。
【請求項１１】  円筒形状を有する該サック保持器（４）は、該ブロワに接続されるガス注入口（６）と、外方向に放射状に突出し保持クリップ（９）によって該スポットライト（２）に取り付けられるリングフランジ部（８）と、該保持器（４）と該サック（３）によって形成される空間を閉止するために透明で耐熱性を有する材料で作られたガスケット（１２）とを有し、該サック（３）は該保持器（４）に対し保持バンド（５）、特にベルクロバンド又は粘着バンドによって略気密状に固定されることを特徴とする請求項１０に記載の照明装置。
【請求項１２】  該サック（３）は、少なくともその内表面の一部、特に光が該スポットライトから入光する開口部とは反対側に光反射ゾーン（１４）を有することを特徴とする請求項１乃至１１の何れか１項に記載の照明装置。
【請求項１３】  該サック（３）内の空気圧が所定のレベルにあるか否かを判定するために、該サック（３）内の圧力が所定圧に達した後、該ブロアの空気注入量をダウンさせるか電源を切るように、圧力センサが該ブロアに接続されることを特徴とする請求項１乃至１２の何れか１項に記載の照明装置。
【請求項１４】  該サック（３）を膨張するためのブロア、特に該サックに対し開口しているその空気出口に逆止弁、特に閉止方向に弾性張力がかかったバルブフラップが設けられ、該ブロアの電源がオフされたとき該ブロアを介して該サック（３）から空気が漏出するのを防止することを特徴とする請求項１乃至１３の何れか１項に記載の照明装置。
【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  コア領域を有する半導体導波管を備えた電気光学半導体デバイスであって、
該コア領域内に、少なくとも一つの能動領域が配置されており、
該一以上の能動領域の外側にある導波管のコアが拡散能動領域材料により汚染されておらず、
該一以上の能動領域及び導波管がモノリシックであり、かつ、
該一以上の能動領域及び導波管が、材料を除去する中間段階を含まない追加成長工程において成長される前記電気光学半導体デバイス。
【請求項２】  一以上の能動領域が、導波管のコアの２つの隣接する成長相間に配置されている請求項１記載のデバイス。
【請求項３】  能動領域が、導波管のコアよりも小さいバンドギャップを有する少なくとも一つの量子井戸層又はバルク層を備えている請求項１又は２記載のデバイス。
【請求項４】  能動領域のバンドギャップが、その能動領域と導波管のコアとの間の遷移領域におけるバンドギャップよりも小さい請求項１〜３のいずれか１項記載のデバイス。
【請求項５】  導波管及び一以上の能動領域が、化学ビームエピタキシーを使用して成長される請求項１〜４のいずれか１項記載のデバイス。
【請求項６】  導波管がアルミニウムガリウム砒素を含有し、一以上の能動領域が少なくとも一つのガリウム砒素の層を含有する請求項５記載のデバイス。
【請求項７】  導波管のコアが２０％〜４０％のアルミニウムを含有し、導波管の上方及び下方のクラッド層が４０％〜８０％のアルミニウムを含有する請求項５記載のデバイス。
【請求項８】  クラッド層の一方がｎ型ドープされており、もう一方のクラッド層がｐ型ドープされている請求項７記載のデバイス。
【請求項９】  デバイスが、拡張キャビティレーザーであって、導波管のコア内に配位された少なくとも一つの量子井戸層を備え、レーザーキャビティの大きさが、デバイスが形成されるモノリシック結晶の天然劈開面により規定されるである請求項１〜８のいずれか１項記載のデバイス。
【請求項１０】  複数の能動領域が存在する請求項１〜９のいずれか１項記載のデバイス。
【請求項１１】  以下の工程を含有する電気光学半導体デバイスの製造方法であって、該一以上の能動領域及び導波管が、材料を除去する中間段階を含まない工程追加成長工程を含有することを特徴とする前記製造方法：
半導体導波管のコア層の第一部分を成長させる工程；
コア層の第一部分の一部分の上に能動層を選択的に成長させる工程；及び
第一部分及び能動層の上に、半導体導波管のコア層の第二部分を成長させる工程。
【請求項１２】  能動層を選択的に成長させる工程が、
コア層の第一部分の一部分を選択的に覆って、コア層の第一部分の一部分を露出させる工程；
露出した一部分の領域上に少なくとも一つの能動層を成長させる工程；及び
コア層の第一部分の覆いをとる工程；
を含有する請求項１１記載の方法。
【請求項１３】  導波管クラッド層が、コア層の上方及び下方で成長されている請求項１１又は１２記載の方法。
【請求項１４】  能動層が、導波管のコアよりも小さいバンドギャップを有する少なくとも一つの量子井戸層又はバルク層を備えている請求項１１〜１３のいずれか１項記載の方法。
【請求項１５】  コア層及び能動層が、化学ビームエピタキシーを使用して成長されている請求項１１〜１４のいずれか１項記載の方法。
【請求項１６】  導波管がアルミニウムガリウム砒素を含有し、能動層が少なくとも一つのガリウム砒素層を含有する請求項１５記載の方法。
【請求項１７】  導波管のコアの第一部分が、機械的シャドーマスクにより選択的に覆われる請求項１２〜１６のいずれか１項記載の方法。
【請求項１８】  シャドーマスクが、酸化ケイ素、窒化ケイ素又は二酸化ケイ素で被覆されたケイ素で作製されている請求項１７記載の方法。
【請求項１９】  導波管のコアの第一部分の領域を露出する開口部を規定するシャドーマスクの端がテーパされており、導波管のコアの第一部分の領域に隣接する端がそのテーパの薄い末端を形成する請求項１７又は１８記載の方法。
【請求項２０】  複数の能動層が、コア層の第一部分の異なる一部分の領域の上に成長されている請求項１１〜１９のいずれか１項記載の方法。
【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  下記のステップによって製作される配列された光学的フィルム組
織。
（ａ）少なくとも第１の材料および第２の材料の何れかが液晶で、互いに本質的
に非反応性の第１の材料および第２の材料を用意する。
（ｂ）混合物を形成するよう第１の材料および第２の材料を組み合わせる。
（ｃ）混合物でフィルムを形成し、フィルムは液晶として定義される分子配列を
備えている。
（ｄ）フィルムの分子配列を凍結する。
（ｅ）第１の材料および第２の材料の何れかを除去し、全体にわたって広がる多
数の跡および液晶の分子配列を有するマトリックスを形成させる。
（ｆ）多数の跡に第３の材料を導入する。
【請求項２】  マトリックスが液晶を含み、液晶の分子配列を有する請求項１
のフィルム組織。
【請求項３】  マトリックスが非液晶を含み、多数の跡が液晶の分子配列を有
する請求項１のフィルム組織。
【請求項４】  第３の材料が液晶の分子配列を有する請求項３のフィルム組織
。
【請求項５】  上記の凍結ステップ（ｄ）に、さらにフィルムの温度の変化が含
まれる請求項１のフィルム組織。
【請求項６】  上記の第１の材料および第２の材料の少なくとも１つが重合可能
であり、上記の凍結ステップ（ｄ）に、さらに混合物の重合が含まれる請求項１
のフィルム組織。
【請求項７】  液晶がコレステリック液晶から構成され、フィルムの組織が波長
および円偏光の選択的反射率および透過度を備えた長い方向の配列を示す請求項
１のフィルム組織。
【請求項８】  液晶がネマチック液晶から構成され、フィルムの組織が位相移動
透過度を備えた長い方向の配列を示す請求項１のフィルム組織。
【請求項９】  第３の材料が凍結される請求項１のフィルム組織。
【請求項１０】  第３の材料が重合可能であり、重合によって凍結される請求項
９のフィルム組織。
【請求項１１】 さらに（ｇ）フィルム組織内に散在する第２の跡群を設けるた
め、上記の第１の材料および上記の第２の材料の１つを除去するステップが含ま
れる請求項１０のフィルム組織。
【請求項１２】 さらに（ｈ）フィルム組織内に散在する第２の跡群に、第４の
材料を導入するステップを含む請求項１１のフィルム組織。
【請求項１３】  第４の材料が液晶の分子配列を備えた非液晶である請求項１
２のフィルム組織。
【請求項１４】  上記液晶がネマチック液晶で、上記第３の材料が光学的に吸収
性である請求項１のフィルム組織。
【請求項１５】 上記マトリックスがさらにフィルム面に沿った位置に配置され
る多数の層を含み、上記の多数の層の少なくとも２つが互いに別の光学的特性を
有する請求項１のフィルム組織。
【請求項１６】 上記の多数の層にそれぞれ別の特徴を持った波長の副画素が含
まれる請求項１５のフィルム組織。
【請求項１７】 上記の多数の層にさらに青、緑および赤の特徴を持った波長の
副画素が含まれる請求項１６のフィルム組織。
【請求項１８】 上記の多数の層にそれぞれ別の特徴を持った偏光の副画素が含
まれる請求項１６のフィルム組織。
【請求項１９】 上記の副画素が上記の特徴を持つ波長および偏光内の光を反射
するため適用される請求項１８のフィルム組織。
【請求項２０】 上記の副画素が上記の特徴を持つ波長および偏光内の光を通過
させるため適用される請求項１８のフィルム組織。
【手続補正２】
【補正対象書類名】明細書
【補正対象項目名】０００５
【補正方法】変更
【補正の内容】
【０００５】
【課題を解決するための手段】
本発明の第１の面において、配列された光学的フィルム組織が次のステップで製作される。
（ａ）少なくとも第１の材料および第２の材料の何れかが液晶で、互いに本質的に非反応性の第１の材料および第２の材料を用意する。
（ｂ）混合物を形成するよう第１の材料および第２の材料を組み合わせる。
（ｃ）混合物でフィルムを形成し、フィルムは液晶として定義される分子配列を備えている。
（ｄ）フィルムの分子配列を凍結する。
（ｅ）第１の材料および第２の材料の何れかを除去し、全体にわたって広がる多数の空洞および液晶の分子配列を有するマトリックスを形成させる。
（ｆ）多数の空洞に第３の材料を導入する。
【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  合成超伝導テープであって、
一対の対向露出主要面を有する少なくとも１つの成分超伝導テープと、
前記成分超伝導テープの露出主要面の一方の上に配設されてこれと接合する金属テープからなる少なくとも１つの外面層と、
を有し、
前記主要面に接合された係る金属テープが２つある場合、前記少なくとも１つの成分超伝導テープの屈曲中立面の位置を選択的にずらすために、前記２つの金属テープの通常の強度特性が異なることを特徴とする合成超伝導テープ。
【請求項２】  積層され接合された複数の成分超伝導テープを有することを特徴とする請求項１に記載の合成超伝導テープ。
【請求項３】  積層され接合された複数の成分超伝導テープを有し、全ての長形成分は長手方向に伸展することを特徴とする請求項１に記載の合成超伝導テープ。
【請求項４】  異なる組成の２つの金属テープを有することを特徴とする請求項１〜３のいずれかに記載の合成超伝導テープ。  
【請求項５】  同じ組成であるが厚みが異なる２つの金属テープを有することを特徴とする請求項１〜３のいずれかに記載の合成超伝導テープ。
【請求項６】  前記成分超伝導テープが少なくとも２つの平行なスタックに積層されることを特徴とする請求項２に記載の合成超伝導テープ。  
【請求項７】  ２つの露出対向主要面と、前記主要面の間に延設された２つの対向端部と、前記主要平面の間に実質的に平行に延設された屈曲中立面とを有する少なくとも１つの成分超伝導テープと、
前記露出主要面の第一面に接合され、前記第一主要面から離れる方向または接近する方向に前記屈曲中立面の位置を選択的にずらす金属テープの外面層と、
を有することを特徴とする合成超伝導テープ。
【請求項８】  前記露出主要面の他の面に接合された第２の金属テープを有することを特徴とする請求項７に記載の合成超伝導テープ。
【請求項９】  前記第１金属テープは、前記第２金属テープと異なる機械的特性を備えていることを特徴とする請求項８に記載の合成超伝導テープ。
【請求項１０】  スタック状に配置された複数の成分超伝導テープを有し、
前記スタックの各端部のテープは、前記２つの主要面をそれぞれ規定する露出主要面を含むことを特徴とする請求項７〜９のいずれかに記載された合成超伝導テープ。
【請求項１１】  前記成分超伝導テープの全てが長手方向に延設されることを特徴とする請求項１０に記載の合成超伝導テープ。
【請求項１２】  前記第二金属テープは、前記第一金属テープとは異なる成分を有することを特徴とする請求項８〜１１のいずれかに記載の合成超伝導テープ。
【請求項１３】  前記２つの金属テープは異なる厚さを有することを特徴とする請求項８〜１２のいずれかに記載の合成超伝導テープ。
【請求項１４】  前記成分超伝導テープが、実質的に相互に平行な複数のスタックに積層されることを特徴とする請求項１０〜１２のいずれかに記載の合成超伝導テープ。
【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】
【請求項１】フィッシャー・トロプシュ炭化水素合成用のコバルト触媒であって、該コバルト触媒はγ−アルミナ担体上に担持されたコバルトを含み：
該コバルト触媒はγ−アルミナ担体上に担持されたいずれの貴金属によっても促進されておらず、またγ−アルミナ担体上に担持されたレニウム又はテクネチウムによっても促進されておらず；
該γ−アルミナ担体はγ−アルミナと制御された量のチタニウムドーパントを含む内部構造を有し；かつ
該γ−アルミナ担体上の制御された量のチタニウムドーパントは該フィッシャー・トロプシュ炭化水素合成のための該コバルト触媒の活性を増大させるのに有効な量であり；
ここで該γ−アルミナ担体は、アルミニウムアルコキシドを加水分解してアルミナを生成させることによって形成され、
該チタニウムドーパントは該γ−アルミナ担体に、該γ−アルミナ担体上の制御された量のチタニウムドーパントを与えるのに有効な量で、チタニウムアルコキシドを該アルミニウムアルコキシドと同時に加水分解することによって添加され、
該チタニウムドーパントの制御された量は該γ−アルミナ担体の少なくとも５００ｐｐｍである
ことを特徴とする上記コバルト触媒。
【請求項２】該γ−アルミナ担体が合成ベーマイトから形成され；かつ
該チタニウムドーパントが、該合成ベーマイトの結晶化に先立って該γ−アルミナ担体に添加される；
ことを特徴とする請求項１のコバルト触媒。
【請求項３】コバルト触媒の存在下に合成ガスを反応させる工程を含む炭化水素合成方法であって：
該コバルト触媒はγ−アルミナ担体上に担持されたコバルトを含み：
該コバルト触媒はγ−アルミナ担体上に担持されたいずれの貴金属によっても促進されておらず、またγ−アルミナ担体上に担持されたレニウム又はテクネチウムによっても促進されておらず；
該γ−アルミナ担体はγ−アルミナと制御された量のチタニウムドーパントを含み内部構造を有し；かつ
該γ−アルミナ担体上の制御された量のチタニウムドーパントは該フィッシャー・トロプシュ炭化水素合成のための該コバルト触媒の活性を増大させるのに有効な量であり；
ここで該γ−アルミナ担体は、アルミニウムアルコキシドを加水分解してアルミナを生成させることによって形成され、
該チタニウムドーパントは該γ−アルミナ担体に、該γ−アルミナ担体上の制御された量のチタニウムドーパントを与えるのに有効な量で、チタニウムアルコキシドを該アルミニウムアルコキシドと同時に加水分解することによって添加され、
該チタニウムドーパントの制御された量は該γ−アルミナ担体の少なくとも５００ｐｐｍである
ことを特徴とする上記方法。
【請求項４】該コバルト触媒を水素の存在下にかつ該コバルト触媒の該炭化水素合成の活性を増大させるのに有効な水蒸気分圧において還元する工程をさらに含む請求項３の方法。
【請求項５】該反応工程に先立って、該コバルト触媒を水素の存在下にかつ該コバルト触媒の活性を増大させるのに有効な水蒸気分圧において還元する工程をさらに含む請求項３の方法。
【請求項６】該γ−アルミナ担体が合成ベーマイトから形成され；かつ
該チタニウムドーパントが、該合成ベーマイトの結晶化に先立って該γ−アルミナ担体に添加される；
ことを特徴とする請求項１３の方法。
【請求項７】炭化水素合成のためのコバルト触媒の活性を改善する方法であって、そのコバルト触媒がγ−アルミナ担体に担持されたコバルトを含み、また該コバルト触媒はγ−アルミナ担体上に担持されたいずれの貴金属によっても促進されておらず、またγ−アルミナ担体上に担持されたレニウム又はテクネチウムによっても促進されておらず；
上記方法が、
γ−アルミナと制御された量のチタニウムドーパントを含む内部構造を有ｓる該γ−アルミナ担体を準備し；
該γ−アルミナ担体上のチタニウムドーパントの量を、該フィッシャー・トロプシュ炭化水素合成のための該コバルト触媒の活性を増大させるのに有効な量であるように制御し、；
ここで該γ−アルミナ担体は、アルミニウムアルコキシドを加水分解してアルミナを生成させることによって形成され、
該チタニウムドーパントは該γ−アルミナ担体に、該γ−アルミナ担体上の制御された量のチタニウムドーパントを与えるのに有効な量で、チタニウムアルコキシドを該アルミニウムアルコキシドと同時に加水分解することによって添加され、
該チタニウムドーパントの制御された量は該γ−アルミナ担体の少なくとも５００ｐｐｍである
ことを特徴とする上記方法。
【請求項８】該コバルト触媒を０ないし１０．１ｋＰａ（０ないし約０．１気圧）の水蒸気分圧で水素中で還元する工程をさらに含む請求項７の方法。